(57)【要約】【課題】リーク機構を有する弁体を備えており、その弁体の設計を容易に行うことができる水栓装置を提供する。【解決手段】水栓装置は、通水路２０と、この通水路２０の途中に設けられた主弁３０と、この主弁３０より下流側の通水路２０の一部を構成し、着脱自在に取付位置に取り付けられた浄水カートリッジ７０とを備えている。水栓装置は、主弁６０より下流側、かつ浄水カートリッジ７０より上流側の通水路２０に配置され、固定弁体６１と可動弁体６２とを有する弁体６０を備えており、固定弁体６１は、主流路６５と、副流路６６とが貫設されており、可動弁体６２は、浄水カートリッジ７０を取付位置に取り付けると主流路６５を開放する開弁位置に移動し、浄水カートリッジ７０を取付位置から取り外すと主流路６５を閉鎖する閉弁位置に移動可能な状態になる。【選択図】図１
2015028274.tif 000002
【特許請求の範囲】
【請求項１】
通水路と、この通水路の途中に設けられた主弁と、この主弁より下流側の通水路の一部を構成し、着脱自在に取付位置に取り付けられた交換部品とを備えた水栓装置であって、
前記主弁より下流側、かつ前記交換部品より上流側の前記通水路に配置され、固定弁体と可動弁体とを有する弁体を備えており、
前記固定弁体は、主流路と、副流路とが貫設されており、
前記可動弁体は、前記交換部品を前記取付位置に取り付けると前記主流路を開放する開弁位置に移動し、前記交換部品を前記取付位置から取り外すと前記主流路を閉鎖する閉弁位置に移動可能な状態になることを特徴とする水栓装置。
【請求項２】
前記固定弁体は前記副流路に流入した水道水が衝突して所定の方向に流出させる壁部を有していることを特徴とする請求項１記載の水栓装置。
【請求項３】
前記可動弁体は、前記主流路を閉鎖する弁本体と、この弁本体から延びて前記固定弁体を挿通する軸部とを有しており、
前記固定弁体は、前記可動弁体の軸部が軸方向に進退自在に挿通する挿通孔と、外周縁からこの挿通孔に連通する切欠き部とを有しており、
この切欠き部が前記副流路を構成することを特徴とする請求項１又は２記載の水栓装置。
【請求項４】
前記可動弁体は前記軸部の両端に同一形状の前記弁本体を連結していることを特徴とする請求項３記載の水栓装置。
【発明の詳細な説明】
【技術分野】
【０００１】
本発明は水栓装置に関するものである。
【背景技術】
【０００２】
特許文献１は従来の水栓装置を開示している。この水栓装置は、通水路と、この通水路の途中に設けられた主弁と、この主弁より下流側の通水路の一部を構成する浄水カートリッジとを備えている。浄水カートリッジは着脱自在に取り付けられている。浄水カートリッジは通過する水道水を浄化する。また、この水栓装置は、主弁より下流側、かつ浄水カートリッジより上流側の通水路に配置した弁体を備えている。この弁体は外周部の一部を切欠いた切欠き部を有している。この弁体は、浄水カートリッジを取り付けると、通水路を開放した開弁位置に移動する。また、この弁体は、浄水カートリッジを取付位置から取り外すと、スプリングの弾性力によって通水路を閉鎖する閉弁位置に移動する。この閉弁位置で、主弁が通水路を開放すると、弁体の上流側に水道水が流れ込み、弁体の切欠き部から下流側に漏れ出す。つまり、弁体の切欠き部がリーク機構を構成し、主弁と弁体との間の通水路に作用する圧力は静水圧よりも低くすることができる。このため、この水栓装置は主弁と弁体との間の通水路を耐圧構造にしなくてもよい。
【先行技術文献】
【特許文献】
【０００３】
【特許文献１】特開２００２−３５６８９１号公報
【発明の概要】
【発明が解決しようとする課題】
【０００４】
しかし、特許文献１の水栓装置は通水路を開閉するために移動する弁体にリーク機構を構成する切欠き部を設けている。この弁体は浄水カートリッジを取り付けた際に外力を受けて開弁位置に保持される。また、この弁体はスプリングの弾性力や水圧の外力を受けて閉弁位置に保持される。このため、この弁体は、外力の影響を考慮して良好に開弁位置及び閉弁位置に移動し保持されるように切欠き部等の形状を設計する必要があり、設計上の制約がある。
【０００５】
本発明は、上記従来の実情に鑑みてなされたものであって、リーク機構を有する弁体を備えており、その弁体の設計を容易に行うことができる水栓装置を提供することを解決すべき課題としている。
【課題を解決するための手段】
【０００６】
本発明の水栓装置は、通水路と、この通水路の途中に設けられた主弁と、この主弁より下流側の通水路の一部を構成し、着脱自在に取付位置に取り付けられた交換部品とを備えた水栓装置であって、
前記主弁より下流側、かつ前記交換部品より上流側の前記通水路に配置され、固定弁体と可動弁体とを有する弁体を備えており、
前記固定弁体は、主流路と、副流路とが貫設されており、
前記可動弁体は、前記交換部品を前記取付位置に取り付けると前記主流路を開放する開弁位置に移動し、前記交換部品を前記取付位置から取り外すと前記主流路を閉鎖する閉弁位置に移動可能な状態になることを特徴とする。
【０００７】
この水栓装置は、固定弁体に主流路と副流路とを貫設し、交換部品を取付位置から取り外すと可動弁体が主流路を閉鎖する閉弁位置に移動可能な状態になる。つまり、水栓装置が可動弁体を閉弁位置に移動する方向に弾性力を付与する弾性体を備えている場合、交換部品を取り外すと弾性体の弾性力によって可動弁体が閉弁位置に移動する。また、可動弁体が主弁と弁体との間の通水路に流入した水道水の水圧を受けて閉弁位置に移動する形態である場合、主弁が通水路を開放した状態で交換部品を取り外したり、交換部品を取外した状態で、主弁を操作する操作ハンドルに誤って手が触れて、主弁が通水路を開放したりすると、主弁と弁体との間の通水路に流入した水道水の水圧を受けて可動弁体が閉弁位置に移動する。
【０００８】
この水栓装置は、可動弁体が閉弁位置に移動して主流路を閉鎖しても副流路は開放されている。このため、この水栓装置は、可動弁体が閉弁位置に移動して主流路を閉鎖している状態で主弁が通水路を開放すると、弁体の上流側に流れ込んだ水道水を副流路から下流側に流出させることができる。つまり、この水栓装置は、固定弁体の副流路がリーク機構を構成している。よって、主弁と弁体との間の通水路に作用する圧力は静水圧よりも低くすることができ、この部分の通水路を耐圧構造にしなくてもよい。
【０００９】
この水栓装置は、固定された固定弁体に対して可動弁体が開弁位置と閉弁位置との間を移動することによって主流路を開閉する。このため、固定弁体の副流路の形状等に影響されることなく可動弁体が主流路を良好に開閉することができる。よって、固定弁体に副流路を貫設する設計上の制約は少ない。つまり、リーク機構を構成する副流路を通過する水道水の流量（単位時間当たりに通過する水量：以下同じ。）を変更したり、形状を変更したりすることを容易に行うことができる。
【００１０】
したがって、この水栓装置は、リーク機構を有する弁体を備えており、その弁体の設計を容易に行うことができる。
【図面の簡単な説明】
【００１１】
【図１】実施例の水栓装置を示す概略図である。
【図２】実施例の水栓装置の要部を示す分解図である。
【図３】実施例の水栓装置であって、浄水カートリッジを取り付けた状態を示す断面図である。
【図４】実施例の弁体を示す平面図である。
【図５】実施例の弁体を示す斜視図である。
【図６】実施例の水栓装置であって、浄水カートリッジを取り外した状態を示す断面図である。
【発明を実施するための形態】
【００１２】
本発明における好ましい実施の形態を説明する。
【００１３】
本発明における前記固定弁体は前記副流路に流入した水道水が衝突して所定の方向に流出させる壁部を有し得る。この場合、主弁が通水路を開放した状態で交換部品を取り外したり、交換部品を取外した状態で、主弁を操作する操作ハンドルに誤って手が触れて、主弁が通水路を開放したりした際、副流路に流入した水道水を壁部に衝突させて、水道水が水栓装置の周囲に飛散したり、交換部品を交換する者に向かって飛び出したりしないように所定の方向に水道水を流出させることができる。
【００１４】
本発明における前記可動弁体は、前記主流路を閉鎖する弁本体と、この弁本体から延びて前記固定弁体を挿通する軸部とを有しており、前記固定弁体は、前記可動弁体の軸部が軸方向に進退自在に挿通する挿通孔と、外周縁からこの挿通孔に連通する切欠き部とを有しており、この切欠き部が前記副流路を構成し得る。この場合、可動弁体の軸部を固定弁体の外周縁から切欠き部を通して挿通孔に挿通させることができる。このため、可動弁体が軸部の軸方向に進退自在な状態に可動弁体の軸部を固定弁体の挿通孔に容易に挿通させることができる。また、この切欠き部が副流路を構成するため、副流路を切欠き部とは別に固定弁体に設ける必要がない。
【００１５】
前記可動弁体は前記軸部の両端に同一形状の前記弁本体を連結し得る。この場合、固定弁体の挿通孔に可動弁体の軸部を挿通する際、可動弁体の向きを意識する必要がないため、固定弁体の挿通孔に可動弁体の軸部を挿通させる作業を容易に行うことができる。
【００１６】
次に、本発明の水栓装置を具体化した実施例について、図面を参照しつつ説明する。
【００１７】
＜実施例＞
実施例の水栓装置は、図１〜図３に示すように、キッチンのキャビネットの天板１に取り付けられている。この水栓装置は、水栓本体１０、通水路２０、主弁３０、操作ハンドル４０、ハンドシャワー部５０、弁体６０、及び交換部品である浄水カートリッジ７０を備えている。
【００１８】
水栓本体１０は、天板１の上面に取り付けられ鉛直方向に延びた略円筒状の胴部１１と、ハンドシャワー部５０が着脱自在に取り付けられる吐水管基部１２を有している。この吐水管基部１２は胴部１１から斜め上方に延びている。また、この吐水管基部１２は、胴部１１の内部に連通した中空形状であり、ハンドシャワー部５０の外形状に連続した外形状を有している。吐水管基部１２は先端に軸方向に挿通孔を貫設した支持部材１３を取り付けている。支持部材１３は、先端部１３Ａが円筒形状であり、外周面にセレーションが設けられている。ハンドシャワー部５０は、上流側の端部内に先端部１３Ａを挿入することができる凹部が設けられており、この凹部に先端部１３Ａを挿入することによって、吐水管基部１２に着脱自在に取り付けられる。
【００１９】
主弁３０は水栓本体１０の胴部１１内に配置されている。この主弁３０は２つの流入ポート３０Ａ、３０Ｂと１つの流出ポート３０Ｃを有する混合弁である。一方の流入ポート３０Ａは給湯ホース２１の下流端が連結している。他方の流入ポート３０Ｂは給水ホース２２の下流端が連結している。流出ポート３０Ｃは吐水管２３の上流端が連結している。給湯ホース２１、給水ホース２２、及び吐水管２３は水栓本体１０の胴部１１から下方に延出している。給湯ホース２１は上流端が図示しない湯側止水栓に連結している。この湯側止水栓はキャビネット内に引き込まれた図示しない給湯管に連結している。給水ホース２２は上流端が図示しない水側止水栓に連結している。この水側止水栓はキャビネット内に引き込まれた図示しない給水管に連結している。吐水管２３は下流端がキャビネット内で連結部材２４を介してシャワーホース２５の上流端に連結している。給湯ホース２１、給水ホース２２、吐水管２３、連結部材２４、及びシャワーホース２５が通水路２０を構成している。このため、主弁３０は通水路２０の途中に設けられていることになる。
【００２０】
シャワーホース２５は、連結部材２４に一体的に形成されたホースガイド２４Ａを通って、水栓本体１０の胴部１１の下端から胴部１１内及び吐水管基部１２内を挿通している。シャワーホース２５は、図２及び図３に示すように、吐水管基部１２の先端に取り付けられた支持部材１３の軸方向に延びた挿通孔を挿通しており、吐水管基部１２（支持部材１３の先端）から所定の長さまで引き出すことができる。
【００２１】
操作ハンドル４０は主弁３０を操作することができる。操作ハンドル４０を上下方向に回動させることによって、主弁３０の開閉及び主弁３０の流出ポート３０Ｃから吐水管２３へ流出する湯水の流量を調節することができる。また、操作ハンドル４０を左右方向に回動させることによって、２つの流入ポート３０Ａ、３０Ｂの夫々から流入する湯水の混合比を調節し、流出ポート３０Ｃから吐水管２３に流出する湯水の温度を調節することができる。
【００２２】
ハンドシャワー部５０は、図１〜図３に示すように、グリップ部５１とヘッド部５２とを有している。グリップ部５１は外筒５３と内筒５４の二重構造である。ヘッド部５２はグリップ部５１に着脱することができる。つまり、ヘッド部５２は外筒５３の前端から突出した内筒５４の前端部に対して使用時の状態から左方向に所定角度回転させて引き抜くことができる。また、ヘッド部５２は外筒５３の前端から突出した内筒５４の前端部に対して使用時の状態から左方向に所定角度回転させた状態で差し込み、右方向に所定角度回転させて使用時の状態にし、取り付けることができる。内筒５４は前端部の外周面にリング部材５４Ａが回転自在に装着されている。このリング部材５４Ａの外周面上に１〜１２までの数字が順に表示されている。浄水カートリッジ７０の交換月に相当する数字が所定の位置になるようにリング部材５４Ａを回転し、ヘッド部５２を取り付ける。すると、ヘッド部５２の側面に貫設した図示しない表示窓から浄水カートリッジ７０の交換月を視認することができる。
【００２３】
ヘッド部５２は内部に切換弁８０を収納している。ヘッド部５２は切換弁８０を操作する切換レバー８１を側面に設けている。この水栓装置は、切換レバー８１を操作することによって、ヘッド部５２の下面からの吐水を浄水の吐水、水道水のシャワー状の吐水、及び水道水の整流状の吐水に切り替えることができる。
【００２４】
シャワーホース２５は、図２、図３、及び図６に示すように、下流端に接続金具２６が固定されている。接続金具２６は略筒状であり、先端部がシャワーホース２５の外径よりも大きく拡径しており、先端部の外周面に二条の溝２６Ａ、２６Ｂが形成されている。下流側に形成した溝２６ＡにはパッキンＰが外嵌されている。
【００２５】
シャワーホース２５は下流端をハンドシャワー部５０に連結している。より詳しくは、シャワーホース２５の下流端の接続金具２６が、ハンドシャワー部５０の内筒５４の上流側の端部内に挿入され、内筒５４の外側から挿入されたクリップ５５がシャワーホース２５の接続金具２６の溝２６Ｂに係止することによって抜け止め状態で連結している。この状態で、接続金具２６に外嵌されたパッキンＰによって、シャワーホース２５と内筒５４とは水密状に連結されている。
【００２６】
シャワーホース２５の下流端をハンドシャワー部５０の内筒５４に連結する際、図３及び図６に示すように、シャワーホース２５の下流端の接続金具２６の先端面と内筒５４の内周面から同一周面上に突出した段部５４Ｂとの間に後述する弁体６０を構成する固定弁体６１の外周縁が挟持され、内筒５４内に弁体６０が配置される。
【００２７】
弁体６０は、図２〜図６に示すように、固定弁体６１と可動弁体６２とを有している。固定弁体６１は略円盤状である。固定弁体６１は中央部に可動弁体６２の軸部６４を挿通する挿通孔６３を有している。挿通孔６３は、固定弁体６１の一方の側面（ハンドシャワー部５０の内筒５４内に固定弁体６１を配置した際に下流側に位置する側面、図６において左側に位置する側面）から突出したガイド壁６３Ａを有している。ガイド壁部６３Ａは、軸方向に一部が切り欠かれた略円筒形状であり、可動弁体６２の軸部６４が軸方向にスムーズに進退するように可動弁体６２の軸部６４を案内している。固定弁体６１の他方の側面は平坦面状に形成されている。
【００２８】
固定弁体６１は主流路６５と副流路６６とを貫設している。主流路６５は、ガイド壁６３Ａの外周に沿って略Ｕ字状の第１開口部６５Ａと、挿通孔６３に連通し、第１開口部６５Ａの両端の間に貫設された略矩形状の第２開口部６５Ｂとから構成されている。主流路６５を構成する第１開口部６５Ａ及び第２開口部６５Ｂは、後述する可動弁体６２の上流側に位置する弁本体６７Ａが固定弁体６１の他方の側面に当接すると閉鎖される。
【００２９】
固定弁体６１は外周縁から第２開口部６５Ｂに連通する切欠き部６８を有している。切欠き部６８は第２開口部６５Ｂを介して挿通孔６３に連通している。この切欠き部６８が副流路６６を構成している。このため、副流路６６を切欠き部６８とは別に固定弁体６１に設ける必要がない。
【００３０】
固定弁体６１は、図４〜図６に示すように、一方の側面側において、切欠き部６８の一方の辺部（固定弁体６１の外周縁から第２開口部６５Ｂに向けて延びている一方の辺部）６８Ａから他方の辺部６８Ｂに向けて切欠き部６８を覆うように形成した壁部６９を有している。壁部６９は切欠き部６８の他方の辺部６８Ｂに連続した一方の側面との間に隙間Ｓを設けている。
【００３１】
可動弁体６２は、図２及び図５に示すように、同一形状の円盤状の２個の弁本体６７Ａ、６７Ｂと、これら弁本体６７Ａ、６７Ｂを同軸上に連結した軸部６４とを有している。弁本体６７Ａ、６７Ｂは固定弁体６１の外径よりも小さい外径を有している。可動弁体６２は、固定弁体６１の切欠き部６８を拡げるように弾性変形させ、軸部６４を固定弁体６１の外周縁から切欠き部６８を通して挿通孔６３に挿通させることができる。このため、可動弁体６２が軸部６４の軸方向に進退自在な状態に可動弁体６２の軸部６４を固定弁体６１の挿通孔６３に容易に挿通させることができる。また、軸部６４の両端に同一形状の弁本体６７Ａ、６７Ｂを連結しているため、固定弁体６１の挿通孔６３に可動弁体６２の軸部６４を挿通させる際、可動弁体６２の向きを意識する必要がない。このため、固定弁体６１の挿通孔６３に可動弁体６２の軸部６４を挿通させる作業を容易に行うことができる。
【００３２】
ハンドシャワー部５０のグリップ部５１は、図２、図３、及び図６に示すように、内筒５４内に浄水カートリッジ７０を収納することができる。浄水カートリッジ７０は、グリップ部５１からヘッド部５２を取外し、グリップ部５１の内筒５４の前端開口５４Ｃから内筒５４内の所定の位置（取付位置）に収納され、取付られる。浄水カートリッジ７０を取付位置に取り付けると、図３に示すように、グリップ部５１の内筒５４の内周面と浄水カートリッジ７０の外周面との間に水道水が通過する原水流路２７が形成される。浄水カートリッジ７０を内筒５４に取り付けることによって形成される原水流路２７は通水路２０の一部を構成している。
【００３３】
浄水カートリッジ７０は、円筒形状の浄水部７１と、浄水部７１の両端部に取り付けた第１エンドキャップ７２及び第２エンドキャップ７３とを有している。浄水部７１は、内側から外側に向けて、抗菌性を発揮する第１セラミックスフィルター７１Ａ、珪藻土からなる第２セラミックスフィルター７１Ｂ、第１不織布７１Ｃ、活性炭７１Ｄ、第２不織布７１Ｅの順に積層している。浄水カートリッジ７０は浄水部７１の中央に軸方向に沿って延びた浄水流路２８を有している。浄水流路２８は原水流路２７を流れる水道水が浄水部７１の各フィルター７１Ａ〜７１Ｅを通過して浄化された浄水が流れる。このように、浄水カートリッジ７０の浄水流路２８は主弁３０より下流側の通水路２０の一部を構成している。
【００３４】
浄水部７１の一方の端部に取り付けられた第１エンドキャップ７２は、端面の中央部に外側に突出した凸部７２Ａを有している。浄水カートリッジ７０を第１エンドキャップ７２側からハンドシャワー部５０のグリップ部５１内に挿入し、浄水カートリッジ７０を取付位置に取り付けると、この凸部７２Ａが内筒５４内に配置された弁体６０の可動弁体６２の下流側に位置する弁本体６７Ｂに当接し、可動弁体６２を上流側に移動させる。この際、可動弁体６２の下流側に位置する弁本体６７Ｂは固定弁体６１の一方の側面から突出したガイド壁部６３Ａの先端に当接するため、固定弁体６１の一方の側面に当接しない。つまり、可動弁体６２の下流側に位置する弁本体６７Ｂが固定弁体６１に貫設された主流路６５を閉鎖しない。また、可動弁体６２の上流側に位置する弁本体６７Ａは固定弁体６１の他方の側面から離れるため、主流路６５が開放する。このように、浄水カートリッジ７０を取付位置に取り付けると、可動弁体６２は開弁位置に移動する。
【００３５】
浄水部７１の他方の端部に取り付けられた第２エンドキャップ７３は、図２に示すように、端面の中央部に外側に突出した円筒状の流出口７３Ａを有している。この流出口７３Ａは浄水部７１の浄水流路２８に連通している。また、この流出口７３Ａは、ヘッド部５２をグリップ部５１に取り付けると、ヘッド部５２に設けた図示しない流入口に挿入される。
【００３６】
浄水カートリッジ７０を取付位置に取り付け、ヘッド部５２をグリップ部５１に取り付けた水栓装置は、次に説明するように、浄水の吐水、水道水の整流状の吐水、又は水道水のシャワー状の吐水を切り換えて行うことができる。
【００３７】
この水栓装置において、浄水の吐水を行う場合は、ハンドシャワー部５０のヘッド部５２に設けた切換レバー８１を浄水の吐水位置に移動し、操作ハンドル４０を操作して主弁３０を開放する。すると、ハンドシャワー部５０のグリップ部５１に形成された原水流路２７を流れる水道水が浄水部７１の各フィルター７１Ａ〜７１Ｅを通過する。このようにして浄化された浄水が浄水流路２８、及び流出口７３Ａの順に通過し、さらにヘッド部５２に設けられた切換弁８０を通過して、ヘッド部５２の下面の中央部に貫設された図示しない整流吐水口から吐水される。
【００３８】
水道水の整流状の吐水、又は水道水のシャワー状の吐水を行う場合は、ハンドシャワー部５０のヘッド部５２に設けた切換レバー８１を水道水の整流状の吐水位置、又は水道水のシャワー状の吐水位置に移動し、操作ハンドル４０を操作して主弁３０を開放する。すると、ハンドシャワー部５０のグリップ部５１に形成された原水流路２７を通過した水道水がヘッド部５２に設けられた切換弁８０を通過して、ヘッド部５２の下面の中央部に貫設された図示しない整流吐水口から水道水が整流状に吐水され、又はヘッド部５２の下面の整流吐水口の周りに貫設された図示しない複数のシャワー吐水口から水道水がシャワー状に吐水される。
【００３９】
この水栓装置は、浄水カートリッジ７０を取付位置から取り外すと、浄水カートリッジ７０の第１エンドキャップ７２の凸部７２Ａが可動弁体６２の下流側に位置する弁本体６７Ｂに当接しなくなるため、可動弁体６２が軸方向に移動自在になる。つまり、可動弁体６２は、後述する閉弁位置に移動可能な状態になる。
【００４０】
この状態で、操作ハンドル４０に誤って手が触れる等して、主弁３０が通水路２０を開放すると、図６に示すように、主弁３０と弁体６０との間の通水路２０に流入した水道水の水圧を受けて、可動弁体６２が閉弁位置に移動する。つまり、上流側に位置する弁本体６７Ａが固定弁体６１の他方の側面に当接し、主流路６５を構成する第１開口部６５Ａ及び第２開口部６５Ｂを閉鎖する。
【００４１】
可動弁体６２の上流側に位置する弁本体６７Ａが固定弁体６１の他方の側面に当接して主流路６５を閉鎖しても、副流路６６である切欠き部６８は可動弁体６２の上流側に位置する弁本体６７Ａによって閉鎖されずに開放している。このため、主弁３０が通水路２０を開放して弁体６０の上流側に流れ込んだ水道水は副流路６６から下流側に流出する。つまり、この水栓装置は、固定弁体６１の副流路６６がリーク機構を構成している。よって、主弁３０と弁体６０との間の通水路２０に作用する圧力は静水圧よりも低くすることができ、この部分の通水路２０を耐圧構造にしなくてもよい。なお、副流路６６を流れる水道水の流量は主流路６５を流れる水道水の流量よりも少なく設定されている。具体的には、副流路６６を流れる水道水の流量は主流路６５を流れる水道水の流量の約１０分の１である。
【００４２】
この水栓装置は、固定された固定弁体６１に対して可動弁体６２が開弁位置と閉弁位置との間を移動することによって主流路６５を開閉する。このため、固定弁体６１の副流路６６の形状等に影響されることなく可動弁体６２が主流路６５を良好に開閉することができる。よって、固定弁体６１に副流路６６を貫設する設計上の制約は少ない。つまり、リーク機構を構成する副流路６６を通過する水道水の流量を変更したり、形状を変更したりすることを容易に行うことができる。
【００４３】
したがって、実施例の水栓装置は、リーク機構を有する弁体６０を備えており、その弁体６０の設計を容易に行うことができる。
【００４４】
また、副流路６６に流入した水道水は、壁部６９に衝突して隙間Ｓを通過する。そして、副流路６６に流入した水道水は固定弁体６１の一方の側面に沿ってグリップ部５１の内筒５４の内周面に向けて流出する。このため、水道水が水栓装置の周囲に飛散したり、交換部品を交換する者に向かって飛び出したりしない。
【００４５】
本発明は上記記述及び図面によって説明した実施例に限定されるものではなく、例えば次のような実施例も本発明の技術的範囲に含まれる。
（１）実施例では、固定弁体が副流路に流入した水道水が衝突する壁部を有していたが、壁部を設けなくてもよい。
（２）実施例では、切欠き部が副流路を構成したが、副流路は切欠き部で構成しなくてもよい。
（３）実施例では、軸部の両端に同一形状の弁本体を連結したが、軸本体の下流側には弁本体ではなく、軸部が挿通孔から抜けないように挿通孔より大きい抜け止め部材を連結してもよい。
（４）実施例では、水圧によって可動弁体を閉弁位置に移動させたが、スプリングの弾性力によって可動弁体を閉弁位置に移動させるようにしてもよい。
（５）実施例では、交換部品を浄水カートリッジに下が、軟水カートリッジ等であってもよい。
【符号の説明】
【００４６】
２０…通水路
３０…主弁
７０…浄水カートリッジ（交換部品）
６０…弁体
６１…固定弁体
６２…可動弁体
６３…挿通孔
６４…軸部
６５…主流路
６６、６８…副流路（６８…切欠き部）
６７Ａ、６７Ｂ…弁本体
６９…壁部
【図１】
2015028274.tif 000003
【図２】
2015028274.tif 000004
【図３】
2015028274.tif 000005
【図４】
2015028274.tif 000006
【図５】
2015028274.tif 000007
【図６】
2015028274.tif 000008